(57)【要約】【課題】広角な方向から結像される画像を視認することができる画像表示装置を提供する。【解決手段】複数の発光体２を一列に配置した発光体ユニット１と、複数の発光体２を所定のタイミングで点滅させることにより所定の画像を作成する制御手段４と、発光体２の列に対して横方向に回転されて発光体ユニット１からの発光が結像される反射板５とからなる画像表示装置。反射板５を回転軸７に偏心して立設することにより全方向から画像を視認することができ、反射板５としてハーフミラーを用いることにより画像の浮上感を高めることができる。なお、発光体２としてＬＥＤ又は豆電球などの光を広角に発光できるものを用いる。【選択図】    図１
2004246163.tif 000002
【特許請求の範囲】
【請求項１】
複数の発光体を一列に配置した発光体ユニットと、前記複数の発光体を所定のタイミングで点滅させることにより所定の画像を作成する制御手段と、発光体の列に対して横方向に回転されて発光体ユニットからの発光が結像される反射板とからなることを特徴とする画像表示装置。
【請求項２】
反射板を回転軸に偏心して立設したことを特徴とする請求項１に記載の画像表示装置。
【請求項３】
反射板をハーフミラーとしたことを特徴とする請求項１又は２に記載の画像表示装置。
【請求項４】
発光体は広角度に光を発光可能なものであることを特徴とする請求項１又は２又は３に記載の画像表示装置。
【発明の詳細な説明】
【０００１】
【発明の属する技術分野】
本発明は、複数の発光体を点滅させて文字図形などの画像を表示するための画像表示装置に関するものである。
【０００２】
【従来の技術】
複数のＬＥＤを一列に配列したＬＥＤ群を用いて、このＬＥＤ群を所定のタイミングで点滅させて画像を表示する画像表示装置は公知である。例えば、特開昭６４‐７８２９５公報には、所要数の発光体を支持部材に一列に配列し、この発光体と同数の行及び所要数の列からなるドットマトリックスで形成される文字図形パターンの端の列から順次一定のタイミングで前記発光体を点燈させる手段と、前記発光体の列の横方向に前記支持部材を移動させる手段を設けた画像表示装置が開示されている。この装置によれば、ドットマトリックスにより形成された文字図形パターンを端の列から順次点燈させながら前記発光体の列を横方向に移動させることにより、残像を利用して文字図形を視認することができる。しかしながら、この画像表示装置においては発光体からの光を受け止める一方の側からしか画像を視認することができない。
【０００３】
また、実開平５−５２８８０号公報には、器具本体に一列にＬＥＤ群を配列し、このＬＥＤ群の左右両側面を除いてＬＥＤ群の周囲を保護するリブを設け、ＬＥＤをタイマによって順次点滅させることでリブのない器具本体の左右から同時にＬＥＤからの光で描かれる絵や文字等の信号を視認できるようにした画像表示装置が開示されている。しかし、この装置においてもＬＥＤ群の左右両側面の２方向のみからしか画像を視認することができず画像の視認角度に制限のあるものであった。
【０００４】
【特許文献１】特開昭６４‐７８２９５公報（図３）
【特許文献２】実開平５−５２８８０号公報（図７）
【０００５】
【発明が解決しようとする課題】
本発明は上記した従来の問題点を解決し、ほぼ全方向など広角な方向から画像を視認することができる画像表示装置を提供するためになされたものである。
【０００６】
【課題を解決するための手段】上記の課題を解決するためになされた本発明の画像表示装置は、複数の発光体を一列に配置した発光体ユニットと、前記複数の発光体を所定のタイミングで点滅させることにより所定の画像を作成する制御手段と、発光体の列に対して横方向に回転されて発光体ユニットからの発光が結像される反射板とからなることを特徴とするものである。なお、反射板を回転軸に偏心して立設するのが望ましく、反射板をハーフミラーとするのが望ましく、また、発光体は広角度に光を発光可能なものとするのが望ましい。
【０００７】
【発明の実施の形態】
以下に図面を参照しつつ本発明の好ましい実施形態を説明する。
図１は本発明の画像表示装置を示す斜視図であって、１は発光体２が一列に組み込まれた棒状の発光体ユニットであり、この発光体ユニット１は台板３上に立設されている。また、４は発光体２を所定のタイミングで点滅させる制御手段、５は画像を表示するハーフミラーなどの反射板である。なお、発光体２としてＬＥＤや豆電球などの光を広角に発して点滅させることができるものを用いる。制御手段４にはパターンメモリ、タイマなどの回路が組み込まれていて一定のタイミングでそれぞれの発光体２を独立して点滅させることができる。
【０００８】
反射板５の下端にはモーター６が配設されており回転軸７を中心に反射板５は回転する。ここで、反射板５の回転軸７は発光体２の配列方向と平行に配置してあるので、反射板５は発光体２の配列方向に対して直交する方向に回転する。そして、人の目には回転する反射板５から時々刻々変化する光信号が飛び込む。すなわち、図２に示すように、反射板５により反射されてＰ方向から飛び込んだ光の信号は、反射板５が角度θ回転した時にはＱ方向から飛び込むことになる。反射板５はある時間を要して回転しているので、Ｐ方向からの光信号とＱ方向からの光の信号（発光体列の点滅状態）を異なったものとすることができる。
【０００９】
したがって、点滅する発光体ユニット１の残像を利用して、図３に示すようなドットマトリックスを構成することができて、例えばＭＡなどの画像を表示することができる。以上のような画像形成の機構からして発光体２は広角度に光が発することが可能なものでなければならず、レーザーのような一方向にのみ光が発射されるものは適さない。なお、反射板５の回転軸７は発光体２の配列方向に対して必ずしも平行に配置する必要はなく、両者が多少非平行に配置されても画像が若干斜めにゆがむ程度である。また、発光体の点滅タイミングを調整することによってそのゆがみを補正することができる。
【００１０】
反射板５が回転軸７を中心に回転し、この回転軸７の位置が移動しない場合には、図４に示すように、発光体ユニット１と回転軸７とを結ぶ線の延長線０Ａ上で、反射板５の裏側すなわち発光体２の光が透過する側の一点Ａには光が反射しない。したがって、ドットマトリックを形成することができないので、Ａ方向からは画像を視認することはできない。しかし、それ以外の方向、例えばＡ点近傍のＢ点などには光が反射されるので、ほぼ全方向から画像を視認することができる。
【００１１】
図５は反射板５が回転軸７に偏心して立設されている画像表示装置を示す図であって、反射板５はやや太径の回転軸７（回転円板でもよい）に偏心して設けられた支軸８に取り付けられており、反射板５は中心点Ｒの回りを周回する。そして、反射板５が例えば図示のＳ点に来た場合には発光体２からの光は矢印の如く反射されてＡ点に達するので、Ａ点においても画像を視認することができる。したがって、図５に示す装置においては完全に死角がなくなって全方向から画像を視認することができる。なお、図４に示した画像表示装置においても、回転軸７をＯＡ線に対して交差させて横方向に往復揺動させることによって、同様な機構により死角が解消されて全方向から画像を視認することが可能となる。
【００１２】
反射板として通常の反射鏡を用いることができるが、ハーフミラーを用いるのが望ましい。ハーフミラーは、例えば、ガラスなどの基板にクロムなどの金属皮膜或いは誘電体多層膜を蒸着法、スパッタリング法、イオンプレーティング法などにより形成したものであって、入射光を反射光と透過光に分割する。したがって、反射板５の透光性、透明感を確保することによって反射板５によってさえぎられる視界の視認性を向上させることができ、一方、反射光によって結像される画像を視認することができる。したがって、反射板５の存在感を低下させて空間に画像のみを浮上がらせて表示することができる。反射板５は必ずしも平板状のものである必要はなく、凹状又は凸状の湾曲面を有するものであっても差し支えはないが、平板状の反射板５を用いた場合には画像を綺麗に表示することができる。
【００１３】
上記したＭＡなどの文字画像は、反射板５の回転と発光体２の点滅との同期を調整することにより画像を右方向、或いは左方向に進行させることができるので、文字情報を視認者に容易に伝達することができる。発光体としてＬＥＤを用いた時には画像表示装置をコンパクトなものとしてパチンコ機などの遊技機に設けることができる。豆電球を用いた場合には画像表示装置を大きくして立看板などの比較的大きい電飾装置を構成することができ、例えば「開店中」などと表示すれば表示された文字情報が順次移動する電飾看板として利用することができる。なお、同期を調整することにより反射板５に静止画像を表示することができるのはもちろんのことである。
【００１４】
【発明の効果】
以上に説明したように、本発明の画像表示装置は、複数の発光体を一列に配置した発光体ユニットと、前記複数の発光体を所定のタイミングで点滅させることにより所定の画像を作成する制御手段と、発光体からの発光が結像される反射板とにより構成して、前記反射板を発光体の列に対して横方向に回転するようにしたので、ほぼ全方向から画像を視認することができる。また、反射板を回転軸に偏心して立設することにより死角が解消されて全方向から画像を視認することができる。また、反射板をハーフミラーとすることにより反射板の存在感を低下させて空間に画像のみを浮上がらせて表示することができる。
したがって、本発明は広角な方向から画像を視認することができる画像表示装置として、利用価値極めて大なものである。
【図面の簡単な説明】
【図１】本発明の画像表示装置の斜視図である。
【図２】反射板の回転による結像機構の説明図である。
【図３】表示画像の一例を示すドットマトリックス図である。
【図４】回転軸が移動しない場合における画像の視認可能角度の説明図である。
【図５】回転軸が偏心回転する場合における画像の視認可能角度の説明図である。
【符号の説明】
１  発光体ユニット
２  発光体
３  台板
４  制御手段
５  反射板
６  モーター
７  回転軸
【図１】
2004246163.tif 000003
【図２】
2004246163.tif 000004
【図３】
2004246163.tif 000005
【図４】
2004246163.tif 000006
【図５】
2004246163.tif 000007